(57)【要約】  【課題】タッチパッドへの入力により通常モードへ復帰可能であり、省電力モード中に使用者の意図しない接触の検出を低減可能な端末装置を提供する。  【解決手段】タッチパッド１０とコントローラ４０とを備える端末装置１において、タッチパッド１０は、動作状態が通常モードのときはタッチパッド１０の検出領域内の第１の領域に対する接触を受け付け、動作状態が省電力モードのときは第１の領域の部分領域である第２の領域に対する接触だけを受け付ける受付部（１１，１２）と、受付部が受け付けた接触をコントローラ４０に通知する通信部１６と、を備え、コントローラ４０は、動作状態が省電力モードのとき、タッチパッドからの通知に基づいて動作状態を通常モードに向けて遷移させる。【選択図】図１
2015026321.tif 000002
【特許請求の範囲】
【請求項１】
タッチパッドと制御部とを備え、動作状態として第１の状態および前記第１の状態よりも電力の消費が小さい第２の状態を有する端末装置であって、
前記タッチパッドは、前記動作状態が前記第１の状態のときは前記タッチパッドの検出領域内の第１の領域に対する接触を受け付け、前記動作状態が前記第２の状態のときは前記第１の領域の部分領域である第２の領域に対する接触だけを受け付け、前記接触を受け付けると前記制御部に通知し、
前記制御部は、前記動作状態が前記第２の状態のとき、前記タッチパッドからの通知に基づいて前記動作状態を前記第１の状態に向けて遷移させる
ことを特徴とする端末装置。
【請求項２】
前記端末装置は、さらに、前記検出領域上のジェスチャを示すジェスチャ情報を保持するジェスチャ記憶部を備え、
前記タッチパッドは、受け付けた前記接触の位置を検出し、
前記制御部は、前記動作状態が前記第２の状態のとき、前記タッチパッドによって検出された位置と前記ジェスチャ記憶部の保持するジェスチャ情報とを照合することにより前記動作状態を前記第１の状態に遷移させるべきか否かを判断し、判断結果に応じて前記動作状態を前記第１の状態に遷移させる
ことを特徴とする請求項１に記載の端末装置。
【請求項３】
前記動作状態は、さらに、前記第２の状態よりも電力の消費が大きい第３の状態を含み、
前記タッチパッドは、前記動作状態が前記第３の状態のときは前記検出領域内の第３の領域に対する接触だけを受け付け、
前記タッチパッドは、さらに、受け付けた前記接触の位置を検出し、
前記端末装置は、さらに、前記検出領域上のジェスチャを示すジェスチャ情報を保持するジェスチャ記憶部を備え、
前記制御部は、
前記動作状態を前記第２の状態から前記第３の状態を経由して前記第１の状態に遷移させるものであって、
前記動作状態が前記第２の状態の場合において前記タッチパッドからの通知を受信したとき、前記動作状態を前記第３の状態に遷移させ、
前記動作状態が前記第３の状態のとき、前記タッチパッドによって検出された位置と前記ジェスチャ記憶部の保持するジェスチャ情報とを照合することにより前記動作状態を前記第１の状態に遷移させるべきか否かを判断し、判断結果に応じて前記動作状態を前記第１の状態に遷移させる
ことを特徴とする請求項１に記載の端末装置。
【請求項４】
前記制御部は、前記動作状態が前記第１の状態の場合において前記タッチパッドからの通知を一定時間受信しなかったとき、前記動作状態を前記第２の状態に遷移させる
ことを特徴とする請求項１に記載の端末装置。
【請求項５】
前記端末装置は、さらに、前記タッチパッドとは異なる入力部を備え、
前記動作状態は、さらに、前記タッチパッドへの給電を停止する第３の状態を含み、
前記制御部は、
前記動作状態が第２の状態の場合において前記タッチパッドからの通知を一定時間受信しなかったとき、前記動作状態を前記第２の状態から前記第３の状態に遷移させ、
前記動作状態が前記第３の状態の場合において前記入力部で入力を受け付けたとき、前記動作状態を前記第２の状態に遷移させる
ことを特徴とする請求項１に記載の端末装置。
【請求項６】
さらに、表示部を備え、
前記第１の状態は、前記表示部に給電を行う動作状態であり、前記第２の状態は、前記表示部に給電を行わない動作状態である
ことを特徴とする請求項１に記載の端末装置。
【請求項７】
前記第２の領域は、前記第１の領域の部分領域のうち任意の領域を設定可能である
ことを特徴とする請求項１に記載の端末装置。
【請求項８】
タッチパッドと制御部とを備え、動作状態として第１の状態および前記第１の状態よりも電力の消費が低い第２の状態を有する端末装置を制御する制御方法であって、
前記タッチパッドは、前記動作状態が前記第１の状態のとき、前記タッチパッドの検出領域内の第１の領域に対する接触を受け付け、
前記制御方法は、
前記タッチパッドにより実行される、前記動作状態が前記第２の状態のとき、前記第１の領域の部分領域である第２の領域に対する接触だけを受け付ける受付ステップと、
前記タッチパッドにより実行される、前記受付ステップにおいて受け付けられた接触を前記制御部に通知する通知ステップと、
前記制御部により実行される、前記動作状態が前記第２の状態のとき、前記タッチパッドからの通知に基づいて前記動作状態を前記第１の状態に向けて遷移させる状態遷移ステップと
を含むことを特徴とする制御方法。
【発明の詳細な説明】
【技術分野】
【０００１】
タッチパッドを備える端末装置およびその端末装置の制御方法に関する。
【背景技術】
【０００２】
近年、タッチパネルなどのタッチパッドを備える端末装置が普及している。
このような端末装置の中には、電力の消費を低減させるために、タッチパッドを含む端末装置の各部への給電を停止する省電力モードで動作する機能を有するものがある（例えば、特許文献１参照）。
【先行技術文献】
【特許文献】
【０００３】
【特許文献１】特開２００３−１５７７９号
【発明の概要】
【発明が解決しようとする課題】
【０００４】
ところで、従来の端末装置において、動作状態を省電力モードから端末装置の各部へ給電する通常モードへ遷移させるために、ハードウェアボタンでの入力を行うのが一般的である。
【０００５】
しかしながら、ハードウェアボタンは、その配置場所によって、入力する際に端末装置の使用者に端末装置の持ち替えなどを強いるなど、端末装置の利便性を損ねる可能性がある。
【０００６】
従って、ユーザの利便性をできるだけ損なうことなく、省電力モードから通常モードへ遷移可能な端末装置が求められている。
【課題を解決するための手段】
【０００７】
本発明の一態様の端末装置は、タッチパッドと制御部とを備え、動作状態として第１の状態および前記第１の状態よりも電力の消費が小さい第２の状態を有する端末装置であって、前記タッチパッドは、前記動作状態が前記第１の状態のときは前記タッチパッドの検出領域内の第１の領域に対する接触を受け付け、前記動作状態が前記第２の状態のときは前記第１の領域の部分領域である第２の領域に対する接触だけを受け付け、前記接触を受け付けると前記制御部に通知し、前記制御部は、前記動作状態が前記第２の状態のとき、前記タッチパッドからの通知に基づいて前記動作状態を前記第１の状態に向けて遷移させる。
【０００８】
本発明の一態様の制御方法は、タッチパッドと制御部とを備え、動作状態として第１の状態および前記第１の状態よりも電力の消費が低い第２の状態を有する端末装置を制御する制御方法であって、前記タッチパッドは、前記動作状態が前記第１の状態のとき、前記タッチパッドの検出領域内の第１の領域に対する接触を受け付ける。前記制御方法は、前記タッチパッドにより実行される、前記動作状態が前記第２の状態のとき、前記第１の領域の部分領域である第２の領域に対する接触だけを受け付ける受付ステップと、前記タッチパッドにより実行される、前記受付ステップにおいて受け付けられた接触を前記制御部に通知する通知ステップと、前記制御部により実行される、前記動作状態が前記第２の状態のとき、前記タッチパッドからの通知に基づいて前記動作状態を前記第１の状態に向けて遷移させる状態遷移ステップとを含む。
【発明の効果】
【０００９】
本発明の一態様による端末装置によれば、ユーザの利便性をできるだけ損なうことなく、省電力モードから通常モードへ遷移可能である。
【図面の簡単な説明】
【００１０】
【図１】実施の形態１に係る端末装置の機能構成を示すブロック図である。
【図２】実施の形態１に係る端末装置を正面から見た図である。
【図３】実施の形態１に係る端末装置のタッチパッドのレジスタが記憶する情報を示す図である。図３（ａ）は有効領域情報１４を示す図であり、図３（ｂ）接触位置情報１５を示す図である。
【図４】実施の形態１に係る端末装置のタッチパッドの接触部の有効領域に対する接触を検知する方法を示す模式図である。
【図５】実施の形態１に係る端末装置のメモリの記憶する設定領域情報の一例を示す図である。
【図６】実施の形態１に係る端末装置のディスプレイに表示される画面の例である。図６（ａ）は、ホーム画面の例を示す図であり、図６（ｂ）および図６（ｃ）は、設定アプリの表示画面の例を示す図である。
【図７】実施の形態１に係る端末装置のコントローラが設定アプリを実行する際の動作を示すフローチャートである。
【図８】実施の形態１に係る端末装置の動作状態を通常モードから省電力モードへ遷移させる動作を示すフローチャートである。
【図９】実施の形態１に係る端末装置の動作状態が省電力モードから通常モードへ遷移させる動作の模式図である。図９（ａ）は、省電力モードにおける、ディスプレイの表示領域およびタッチパッドの有効領域を示している。図９（ｂ）は、指が有効領域以外の領域に接触している状態を示し、図９（ｃ）は、指が有効領域に接触している状態を示している。図９（ｄ）は、動作状態が省電力モードから通常モードへ遷移し、ディスプレイにホーム画面を表示している様子を示している。
【図１０】実施の形態１に係る端末装置の動作状態を省電力モードから通常モードへ遷移させる動作のフローチャートである。
【図１１】実施の形態２に係る端末装置の機能構成を示すブロック図である。
【図１２】実施の形態２に係る端末装置のメモリの記憶する設定領域情報の一例を示す図である。
【図１３】実施の形態２に係る端末装置のメモリの記憶する接触イベント情報の一例を示す図である。
【図１４】実施の形態２に係る端末装置のメモリの記憶するジェスチャ情報の例を示す図である。
【図１５】実施の形態２に係る端末装置の動作のフローチャートである。
【図１６】実施の形態３に係る端末装置の機能構成を示すブロック図である。
【図１７】実施の形態３に係る端末装置の外観を示す図である。図１７（ａ）は、端末装置を正面から見た図であり、図１７（ｂ）は、端末装置を側面から見た図である。
【図１８】実施の形態３に係る端末装置の動作のフローチャートである。
【発明を実施するための形態】
【００１１】
（実施の形態１）
実施の形態１の端末装置１は、タッチパネルを構成するディスプレイとタッチパッドとを備え、通常モードと省電力モードとの２つの動作状態のいずれかで動作するスマートフォンである。通常モードは、操作者が端末装置１を操作するときの動作状態であり、ディスプレイに文字や画像などを表示する動作状態である。省電力モードは、例えば、操作者が端末装置１を鞄に入れている時や、操作者が睡眠中など、操作者が端末装置１を操作しないときの動作状態であり、ディスプレイへの給電を停止して電力の消費を低減する動作状態である。
【００１２】
端末装置１のタッチパッドは、その検出領域を有効領域と有効領域以外の無効領域との２つの領域に分け、有効領域に対する接触だけを受け付ける。そして、タッチパッドは、端末装置１の動作状態が通常モードのとき、ディスプレイの表示領域の全体を有効領域とし、端末装置１の動作状態が省電力モードのとき、ディスプレイの表示領域の一部を有効領域とする。
【００１３】
端末装置１は、通常モードでの動作時において、一定時間有効領域に対する接触を受け付けなかった場合に、動作状態を省電力モードに移行する。また、端末装置１は、省電力モードでの動作時において、有効領域に対する接触を受け付けた場合に、動作状態を通常モードに移行する。
【００１４】
以下、実施の形態１の端末装置１について、図面を参照しつつ詳細に説明する。
＜端末装置１の構成＞
【００１５】
図１は、実施の形態１に係る端末装置１の機能構成を示すブロック図である。図１に示すように、端末装置１は、タッチパッド１０、ディスプレイ２０、メモリ３０、コントローラ４０および計時部５０を備える。
【００１６】
タッチパッド１０は、本実施の形態では、静電容量方式のタッチパッドであり、接触部１１、検出制御部１２、レジスタ１３、および通信部１６を備える。
【００１７】
接触部１１は、タッチパッド１０の検出領域、すなわち、操作者が指や専用のスタイラスなどを接触させる部分であり、ディスプレイ２０の表示領域を覆うように配置される。
【００１８】
検出制御部１２は、接触部１１の有効領域に対する接触および接触が行われた位置を検出する。また、検出制御部１２は、接触部１１の有効領域に対する接触を検出した場合、その旨を通信部１６に通知する。さらに、検出制御部１２は、接触された位置を示す情報を生成して接触位置情報１５としてレジスタ１３に記憶させる。
【００１９】
レジスタ１３は、タッチパッド１０に内蔵される記憶素子であり、接触部１１の有効領域を示す有効領域情報１４および接触が行われた位置を示す接触位置情報１５を記憶する。
【００２０】
通信部１６は、検出制御部２から接触部１１の有効領域に対する接触を通知されると、割込み信号を生成してコントローラ４０に送信する。また、通信部１６は、コントローラ４０からの命令を受信して、レジスタ１３の読み出しおよび書き込みを行う。
【００２１】
ディスプレイ２０は、本実施の形態では液晶パネルであり、コントローラ４０の制御により、文字や画像などを表示する。
【００２２】
メモリ３０は、端末装置１を稼働させるために必要なデータやプログラムを記憶する。メモリ３０に記憶されるデータは、接触部１１の有効領域の設定値である設定領域情報３１を含む。また、メモリ３０に記憶されるプログラムは、設定領域情報３１を操作者が設定するためのアプリケーションプログラム（以下、設定アプリ３２と称する。）を含む。
【００２３】
なお、メモリ３０は、コントローラの４０の処理結果を一時的に記憶する作業領域としても利用される。メモリ３０は、本実施の形態では、ＤＲＡＭなどの揮発性の記憶素子とフラッシュメモリなどの不揮発性の記憶素子とを含んで構成される。
【００２４】
コントローラ４０は、メモリ３０に記憶されているプログラムを実行することにより、タッチパッド１０を制御する機能、ディスプレイ２０を制御する機能、および端末装置１の動作状態を管理する機能を含む集積回路である。
【００２５】
コントローラ４０は、タッチパッド１０を制御する機能において、タッチパッド１０に命令を送信して、レジスタ１３に記憶されている情報の読み書きを行う。
【００２６】
例えば、コントローラ４０は、有効領域情報１４を更新するための有効領域更新命令をタッチパッド１０に送信し、タッチパッド１０に有効領域情報１４を更新させる。有効領域更新命令は、端末装置１の動作状態を遷移させるときにタッチパッド１０に送信される。
【００２７】
また、コントローラ４０は、タッチパッド１０から割込み信号を受信したときに、接触位置情報１５を取得するための接触位置取得命令をタッチパッド１０に送信し、タッチパッド１０から接触位置情報１５を取得する。コントローラ４０は、取得した接触位置情報１５に基づいて、ディスプレイ２０の表示領域２１のどの位置に接触が行われたのかを判断する。
【００２８】
計時部５０は、本実施の形態では水晶振動子であり、所定周期のクロック信号をコントローラ４０に供給する。
【００２９】
＜端末装置１の外観＞
次に、端末装置１の外観について説明する。図２は、端末装置１を正面から見た図である。図２に示すように、端末装置１の筐体１００の正面には、ディスプレイ２０の表示領域２１と、その表示領域２１を覆うようにタッチパッド１０の接触部１１とが配置される。
【００３０】
＜レジスタ１３の詳細＞
図３は、タッチパッド１０のレジスタ１３が記憶する有効領域情報１４および接触位置情報１５を示す図である。
【００３１】
本実施の形態において、有効領域は、矩形状であり、ディスプレイ２０の表示領域２１上の座標系におけるＸ座標、Ｙ座標、幅および高さで示すものとする。すなわち、有効領域情報１４は、図３（ａ）に示すように、表示領域２１上の座標系におけるＸ座標Ｘ１、Ｙ座標Ｙ１、幅Ｗ１、および、高さＨ１を示す情報である。
【００３２】
接触位置情報１５は、図３（ｂ）に示すように、表示領域２１上の座標系における接触位置のＸ座標Ｘ２、およびＹ座標Ｙ２を示す情報である。
【００３３】
＜接触部１１および検出制御部１２の詳細＞
次に、タッチパッド１０の接触部１１および検出制御部１２によって、接触部１１の有効領域に対する接触を検知する方法について説明する。
【００３４】
図４は、本実施の形態の接触部１１を、正面から見た場合の模式図である。図４に示すように、接触部１１は、ガラスなどの透明基板（図示せず）上に、Ｘ方向に伸びた複数の駆動電極１１０と、Ｘ方向に直交するＹ方向に伸びた複数の検出電極１１１とを配置して構成される。駆動電極１１０と検出電極１１１とは、絶縁膜（図示せず）を介して絶縁して配置される。
【００３５】
ここで、駆動電極１１０にパルス電圧を印加すると、駆動電極１１０と検出電極１１１との交差部分に静電容量が形成される。このとき、この交差部分への指の接近により静電容量が変化する。従って、検出電極１１１の電圧波形を測定することによって、静電容量の変化、すなわち、交差部分への指の接近を検出することができる。
【００３６】
ここで、検出制御部１２は、レジスタ１３から有効領域情報１４を読み出し、接触部１１のＹ座標Ｙ１から高さＨ１の範囲に含まれる駆動電極１１０Ａを特定する。また、検出制御部１２は、接触部１１のＸ座標Ｘ１から幅Ｗ１の範囲に含まれる検出電極１１１Ａを特定する。そして、検出制御部１２は、特定した駆動電極１１０Ａだけに対して順次パルス電圧を印加し、特定した検出電極１１１Ａだけに対して電圧波形を測定する。
【００３７】
以上のように電圧を印加する駆動電極１１０および電圧波形を測定する検出電極を限定することにより、接触部１１および検出制御部１２は、有効領域に対する接触だけを受け付ける。
【００３８】
なお、検出制御部１２は、端末装置１の通常モードと省電力モードとで、共通の検出周期を用い、各特定された駆動電極１１０Ａに対して検出周期ごとに一回ずつパルス電圧を印加する。これにより、タッチパッド１０が省電力モード時に消費する電力は、通常モード時よりも小さくなる。
【００３９】
＜設定領域情報３１の詳細＞
ここでは、メモリ３０の記憶する設定領域情報３１について説明する。設定領域情報３１は、通常モードにおいて接触部１１の有効領域として設定されるべき領域を示す通常モード設定領域情報と、省電力モードにおいて接触部１１の有効領域として設定されるべき領域を示す省電力モード設定領域情報からなる。そして、通常モード設定領域情報および省電力モード設定領域情報は、それぞれディスプレイ２０の表示領域２１上の座標系におけるＸ座標、Ｙ座標、幅および高さを示す情報からなる。なお、本実施の形態では、省電力モード時の有効領域は、対角線の長さが０．５インチ以上１インチ以下の矩形状の領域であるとする。
【００４０】
図５は、設定領域情報３１の例を示す図である。図５に示すように、設定領域情報３１は、通常モード時の有効領域のＸ座標Ｘ３、Ｙ座標Ｙ３、幅Ｗ３および高さＨ３からなる通常モード設定領域情報、並びに、省電力モード時の有効領域のＸ座標Ｘ４、Ｙ座標Ｙ４、幅Ｗ、４および高さＨ４からなる省電力モード設定領域情報を有している。
【００４１】
この設定領域情報３１は、端末装置１の動作状態が通常モードから省電力モードへ遷移するとき、および、省電力モードから通常モードへ遷移するとき、コントローラ４０により読み出され、タッチパッド１０へ送信される。
【００４２】
コントローラ４０は、端末装置１の動作状態を通常モードから省電力モードへ遷移させるとき、有効領域更新命令を発行し、タッチパッド１０に送信する。このとき、コントローラ４０は、設定領域情報３１のうち省電力モード設定領域情報をメモリ３０から読み出し、有効領域更新命令に続けてタッチパッド１０に送信する。
【００４３】
また、コントローラ４０は、端末装置１の動作状態を省電力モードから通常モードへ遷移させるとき、有効領域更新命令を発行し、タッチパッド１０に送信する。このとき、コントローラ４０は、通常モード設定領域情報をメモリ３０から読み出し、有効領域更新命令に続けてタッチパッド１０に送信する。
【００４４】
タッチパッド１０の通信部１６は、コントローラ４０から、有効領域更新命令を受信すると、その後に続いて送信されてくる領域の情報を、有効領域情報１４としてレジスタ１３に記憶させる。
【００４５】
この処理により、接触部１１の有効領域は、通常モード時には接触部１１のディスプレイ２０の表示領域２１の全体となり、省電力モード時には接触部１１のディスプレイ２０の表示領域２１の一部に限定される。
【００４６】
＜有効領域の設定処理＞
次に、コントローラ４０が設定アプリ３２を実行してメモリ３０の設定領域情報３１を設定する動作を図６および図７を用いて説明する。ここでは、設定領域情報３１を設定することを、有効領域を設定するという。
【００４７】
図６は、ディスプレイ２０に表示される画面の例である。図６（ａ）は、本実施の形態の端末装置１のホーム画面の例を示している。また、図６（ｂ）および図６（ｃ）は、設定アプリ３２の表示画面の例を示している。
【００４８】
図７は、コントローラ４０が設定アプリを実行する際の動作を示すフローチャートである。
【００４９】
コントローラ４０は、通常モード時、ディスプレイ２０にホーム画面２１Ａを表示させる（図７：ステップＳ１）。図６（ａ）に示すように、ホーム画面２１Ａでは、設定アプリ３２を起動させるためのアイコン６０Ａを含む複数のアイコン６０が表示される。
【００５０】
コントローラ４０は、ディスプレイ２０にホーム画面２１Ａが表示されている状態で、設定アプリ３２を起動するためのアイコン６０Ａに対する接触を検出すると、図６（ｂ）に示す設定アプリ３２の設定項目選択画面２１Ｂをディスプレイ２０に表示させる（図７：ステップＳ２）。設定項目選択画面２１Ｂでは、有効領域を設定するためのアイテム６１Ａを含む複数のアイテム６１が表示される。
【００５１】
コントローラ４０は、ディスプレイ２０に設定項目選択画面２１Ｂが表示されている状態で、有効領域を設定するためのアイテム６１Ａに対する接触を検出すると、図７（ｃ）に示す設定アプリ３２の有効領域選択画面２１Ｃをディスプレイ２０に表示させる（図７：ステップＳ３）。図７（ｃ）に示すように、有効領域選択画面２１Ｃは、複数の領域６２（Ａ，Ｂ，Ｃ，Ｄ）を表示するものである。
【００５２】
ここで、設定アプリ３２には、複数の領域６２それぞれの、表示領域２１上の座標系の領域を示す領域情報（Ｘ座標、Ｙ座標、幅および高さ）が含まれている。
【００５３】
コントローラ４０は、ディスプレイ２０に有効領域選択画面２１Ｃが表示されている状態で、表示されている複数の領域６２のうちの一の領域（例えば、領域６２Ｄ）に対する接触を検出すると、設定アプリ３２から領域６２Ｄを示す領域情報を、設定領域情報３１の省電力モード設定領域情報としてメモリ３０に記憶させる（図７：ステップＳ４）。
【００５４】
その後、コントローラ４０は、ディスプレイ２０にホーム画面２１Ａを表示させる。
以上に示した動作により、コントローラ４０は、有効領域を設定する。
【００５５】
＜省電力モードへの移行処理＞
次に、コントローラ４０が、端末装置１の動作状態を通常モードから省電力モードへ遷移させる動作について、図８を用いて説明する。
【００５６】
図８は、コントローラ４０が、端末装置１の動作状態を通常モードから省電力モードへ遷移させる動作を示すフローチャートである。
【００５７】
図８に示すように、コントローラ４０は、端末装置１の動作状態が通常モードのとき、無操作状態で一定時間（例えば、６０秒）経過したか否かを判定する（ステップＳ５）。具体的には、コントローラ４０は、タッチパッド１０から最後に割り込み信号を受信してからの時間を、計時部５０からのクロック信号に基づいて計測する。
【００５８】
コントローラ４０は、タッチパッド１０から最後に割り込み信号を受信してから一定時間が経過した場合（ステップＳ５：ＹＥＳ）、端末装置１の動作状態を省電力モードに遷移させる。すなわち、コントローラ４０は、ディスプレイ２０への給電を停止させる（ステップＳ６）。
【００５９】
さらに、コントローラ４０は、タッチパッド１０の接触部１１の有効領域を省電力モード時の有効領域に更新する（ステップＳ７）。具体的には、上述したように、コントローラ４０は、タッチパッド１０に有効領域更新命令を送信し、レジスタ１３の記憶する有効領域情報１４を、メモリ３０が記憶する省電力モード設定領域情報の示す領域を示すように更新させる。
【００６０】
以上に示した動作により、コントローラ４０は、端末装置１の動作状態を、通常モードから省電力モードへ遷移させる。
【００６１】
＜通常モードへの移行処理＞
次に、コントローラ４０が、端末装置１の動作状態を省電力モードから通常モードへ遷移させる動作について、図９および図１０を用いて説明する。
図９は、端末装置１の動作状態が省電力モードから通常モードへ遷移させる動作の模式図である。
【００６２】
図９（ａ）は、省電力モードにおける、ディスプレイ２０の表示領域２１およびタッチパッド１０の接触部１１の有効領域１１Ａを示している。図９（ａ）に示すように、省電力モード時において、ディスプレイ２０への給電は停止しているため、表示領域２１には何も表示されない。そして、有効領域１１Ａは、表示領域２１の一部の領域となっている。
【００６３】
図９（ｂ）は、省電力モード時において、操作者の指Ｆ１が有効領域１１Ａ以外の領域に接触している状態を示し、図９（ｃ）は、省電力モード時において、操作者の指Ｆ１が有効領域１１Ａに接触している状態を示している。
【００６４】
図９（ｄ）は、端末装置１の動作状態が省電力モードから通常モードへ遷移し、ディスプレイ２０の表示領域２１にホーム画面を表示している様子を示している。このとき、タッチパッド１０の接触部１１の有効領域は、図９（ｄ）に示すように、ディスプレイ２０の表示領域２１の全領域を覆う領域１１Ｂとなっている。
【００６５】
図１０は、コントローラ４０が端末装置１の動作状態を省電力モードから通常モードへ遷移させる動作のフローチャートである。
【００６６】
コントローラ４０は、端末装置１の動作状態が省電力モードのとき、タッチパッド１０から割込み信号を受信したか否かを判断する（ステップＳ８）。
【００６７】
ここで、タッチパッド１０は、図９（ｂ）に示すように有効領域１１Ａ以外の領域に対して指Ｆ１が接触してもその接触を検出せず、割込み信号を出力しない。
タッチパッド１０は、図９（ｃ）に示す有効領域１１Ａの領域に対する指Ｆ１の接触だけを検出し、コントローラ４０に割込み信号を出力する。
【００６８】
コントローラ４０は、端末装置１の動作状態が省電力モードの場合においてタッチパッド１０から割り込み信号を受信したとき（ステップＳ８：ＹＥＳ）、端末装置１のディスプレイ２０への給電を開始させる（ステップＳ９）。このとき、ディスプレイ２０には、図９（ｄ）に示すホーム画面が表示される。
【００６９】
さらに、コントローラ４０は、タッチパッド１０の接触部１１の有効領域を通常モード時の有効領域に更新する（ステップＳ１０）。具体的には、コントローラ４０は、タッチパッド１０に、有効領域更新命令を送信し、レジスタ１３の記憶する有効領域情報１４を、メモリ３０が記憶する通常モード設定領域情報の示す領域を示すように更新させる。これによって、タッチパッド１０の接触部１１の有効領域は、図９（ｄ）に示すように、ディスプレイ２０の表示領域２１の全領域を覆う領域１１Ｂとなる。
【００７０】
以上に示したように、コントローラ４０は、端末装置１の動作状態を、省電力モードから通常モードへ遷移させる。
【００７１】
＜実施の形態１の効果＞
実施の形態１の端末装置１は、省電力モードで動作時、タッチパッド１０の検出領域の中に、接触を受け付ける有効領域と接触を受け付けない無効領域にわけ、有効領域に対する接触のみを受け付ける。
【００７２】
この構成によると、省電力モード時に、タッチパッド１０の有効領域が狭くなるため、タッチパッド１０への誤入力の発生確率を低減することができる。例えば、端末装置を鞄に入れている時に、鞄内の他の物と端末装置との接触を検出してしまうといった可能性を低減することができる。
【００７３】
また、タッチパッド１０の省電力モード時の有効領域は、設定アプリに予め指定してある複数の領域の中から操作者が選択する。つまり、操作者は、タッチパッド１０の省電力モード時の有効領域を、ディスプレイ２０の表示領域における操作者の操作しやすい位置に設定することが可能である。
【００７４】
また、実施の形態１の端末装置１は、通常モード時に無操作状態で一定時間経過すると、省電力モードへ移行する。この構成により、操作者が端末装置１を操作しないときに、消費する電力を低減することが可能である。
【００７５】
また、実施の形態１の端末装置１は、通常モードから省電力モードへの移行および省電力モードから通常モードへの移行に、ハードウェアボタンによる入力を必要としない。従って、例えば、ハードウェアボタンのない端末装置を実現することもできる。
【００７６】
（実施の形態２）
次に、実施の形態２の端末装置１１００について説明する。実施の形態２において、省電力モードは、端末装置１１００の電力の消費を低減するとともに、端末装置１１００の所有者以外の者が端末装置１１００を使用できないように画面をロックする機能を有する。
【００７７】
そして、実施の形態２の端末装置１１００は、動作状態として、通常モードおよび省電力モードに加えて、さらに、ロック解除入力モードを有する。ロック解除入力モードは、端末装置１１００の動作状態が省電力モードの場合においてタッチパッドから割込み信号を受信した時に遷移する動作状態である。端末装置１１００は、ロック解除入力モード時に、タッチパッドの有効領域に対してロック解除用のジェスチャが入力されたことを検出した場合に、ロックを解除して通常モードへ遷移する。
【００７８】
従って、端末装置１１００は、省電力モードから通常モードへ遷移する場合に、ロック解除入力モードを経由して、ロック解除用のジェスチャをタッチパッドの有効領域に対して入力する必要がある。これにより、ロック解除用のジェスチャを知らないものは、端末装置１１００を省電力モードから通常モードへ移行させることが困難となる。
【００７９】
以下、実施の形態２の端末装置１１００について、図面を参照しつつ詳細に説明する。実施の形態１の端末装置１と同様の構成は、同様の符号を付し説明を省力する。
【００８０】
＜端末装置１１００の構成＞
図１１は、実施の形態２に係る端末装置１１００の機能構成を示すブロック図である。
端末装置１１００は、端末装置１と比較して、メモリ３０およびコントローラ４０の代わりにメモリ１１１０およびコントローラ１１２０を備える。
【００８１】
メモリ１１１０は、メモリ３０の保持する設定領域情報３１の代わりに設定領域情報１１１１を保持する。また、メモリ１１１０は、メモリ３０と比較して、さらに、接触イベント情報１１１２およびジェスチャ情報１１１３を保持する。
【００８２】
コントローラ１１２０は、コントローラ４０の機能に加えて、タッチパッド１０から取得した接触位置情報１５に基づいて接触イベント情報１１１２を生成し、メモリ１１１０に記憶させる機能を有する。さらに、コントローラ１１２０は、接触イベント情報１１１２とジェスチャ情報１１１３とを照合して、接触部１１に対して行われた接触操作を判断する機能を有する。
【００８３】
＜設定領域情報１１１１の詳細＞
メモリ１１１０の保持する設定領域情報１１１１について説明する。設定領域情報１１１１は、実施の形態１で説明した通常モード設定領域情報および省電力モード設定領域情報に加えて、ロック解除入力モード時において接触部１１の有効領域として設定されるべき領域を示すロック解除入力モード設定領域情報を含む。
【００８４】
図１２は、設定領域情報１１１１の例を示す図である。図１２の太線に示すように、設定領域情報１１１１は、ロック解除入力モード時の有効領域のＸ座標Ｘ５、Ｙ座標Ｙ５、幅Ｗ５および高さＨ５からなるロック解除入力モード設定領域情報を含む。
【００８５】
このロック解除入力モード設定領域情報は、端末装置１１００の動作状態がロック解除入力モードに遷移するとき、コントローラ１１２０により読み出され、有効領域更新命令とともにタッチパッド１０へ送信される。
【００８６】
＜接触イベント情報１１１２の詳細＞
メモリ１１１０の保持する接触イベント情報１１１２について説明する。接触イベント情報１１１２は、タッチパッド１０の接触部１１に対して行われた接触操作を、アプリケーションプログラムが扱いやすいように、複数の接触イベントに分類したものである。
【００８７】
接触イベントは、本実施の形態において、接触操作の開始を示す「Ｄｏｗｎ」と、接触位置の移動を示す「Ｍｏｖｅ」と、接触操作の終了を示す「Ｕｐ」との３種類である。
【００８８】
タッチパッド１０は、接触部１１に接触操作が行われている間は、割込み信号をコントローラ１１２０に出力し続ける。そして、コントローラ１１２０は、タッチパッド１０からの割込み信号を受信するごとに、タッチパッド１０から接触位置情報１５を取得する。
【００８９】
コントローラ１１２０は、受信した割込み信号および取得した接触位置情報１５に基づいて、接触イベントを判断し、判断した接触イベントとその接触における接触位置および接触時刻とを対応付けて、図１３に示す接触イベント情報１１１２を生成する。
【００９０】
＜ジェスチャ情報１１１３の詳細＞
メモリ１１１０の記憶するジェスチャ情報１１１３について説明する。
ジェスチャ情報１１１３は、端末装置１１００をロック解除モードから通常モードに移行させるために必要なロック解除用のジェスチャを示す情報である。
【００９１】
コントローラ１１２０は、接触イベント情報１１１２とジェスチャ情報１１１３とを照合して、操作者がタッチパッド１０の接触部１１に対して行った接触操作がロック解除のジェスチャであるか否かを判断する。
【００９２】
本実施の形態において、ロック解除用のジェスチャは、ディスプレイ２０の表示領域２１における上方向へのスライドである。
【００９３】
具体的には、コントローラ１１２０は、ロック解除モード時の有効領域（Ｘ座標が６０から４２０、Ｙ座標が６０から５８０までの範囲の領域）に対して、まず、Ｘ座標が２１０から２７０、Ｙ座標が５２０から５８０の範囲の「Ｄｏｗｎ」イベントが発生し、次に、Ｘ座標が２１０から２７０、Ｙ座標が２２０から４２０の範囲の「Ｍｏｖｅ」イベントが発生し、最後に、Ｘ座標が２１０から２７０、Ｙ座標が６０から１２０の範囲の「Ｕｐ」イベントが発生したときに、ロック解除用のジェスチャが入力されたと判断する。
【００９４】
図１４に、ジェスチャ情報１１１３の例を示す。図１４に示すように、ジェスチャ情報１１１３は、例えば、複数の接触イベントの条件とその順番とからなる情報である。
【００９５】
＜端末装置１１００の動作＞
図１５は、端末装置１１００の動作のフローチャートである。
【００９６】
図１５に示すように、コントローラ１１２０は、端末装置１１００の動作状態が省電力モードまたはロック解除入力モードのとき、タッチパッド１０から割込み信号を受信したか否かを判断する（ステップＳ１１）。
【００９７】
コントローラ１１２０は、省電力モードまたはロック解除入力モードの場合にタッチパッド１０から割り込み信号を受信したとき（ステップＳ１１：ＹＥＳ）、端末装置１１００の動作状態がロック解除入力モードであるか否かを判断する（ステップＳ１２）。
【００９８】
ここで、コントローラ１１２０は、端末装置１１００の動作状態がロック解除入力モードでない場合（ステップＳ１２：ＮＯ）は、端末装置１１００の動作状態をロック解除入力モードへ遷移させる。すなわち、コントローラ１１２０は、タッチパッド１０の接触部１１の有効領域をロック解除入力モード時の有効領域に更新し（ステップＳ１３）、ステップＳ１１に戻る。
【００９９】
コントローラ１１２０は、端末装置１１００の動作状態がロック解除入力モードの場合にタッチパッド１０から割込み信号を受信したとき（ステップＳ１２：ＹＥＳ）、タッチパッド１０の接触部１１に対する接触操作が、ロック解除用のジェスチャであるか否かを判断する（ステップＳ１４）。具体的には、コントローラ１１２０は、タッチパッド１０から接触位置情報１５を取得して、接触イベント情報１１１２を生成し、接触イベント情報１１１２とジェスチャ情報１１１３とを照合する。
【０１００】
照合の結果、ロック解除用のジェスチャであると判断した場合（ステップＳ１４：Ｙｅｓ）、ロックを解除して（ステップＳ１５）、ステップＳ９およびステップＳ１０に進み、ロック解除用のジェスチャでないと判断した場合（ステップＳ１４：Ｎｏ）ステップＳ８に戻る。
【０１０１】
ステップＳ９およびステップＳ１０において、コントローラ１１２０は、実施の形態１のコントローラ４０と同様に、通常モードへ移行させる処理を行う。すなわち、コントローラ１１２０は、ディスプレイ２０への給電を開始して、タッチパッド１０の接触部１１の有効領域を通常モード時の有効領域に更新する。
【０１０２】
また、コントローラ１１２０は、端末装置１１００の動作状態が省電力モードまたはロック解除入力モードの場合にタッチパッド１０から割込み信号を受信していないとき（ステップＳ１１：Ｎｏ）、端末装置１１００の動作状態がロック解除入力モードにおいて無操作状態で一定時間（例えば、１０秒）経過したか否かを判定する（ステップＳ１６）。端末装置１１００の動作状態が省電力モードのとき、および、動作状態がロック解除入力モードで、かつ無操作状態で一定時間経過していないとき（ステップＳ１６：ＮＯ）は、ステップＳ１１に戻る。
【０１０３】
ここで、コントローラ１１２０は、端末装置１１００の動作状態がロック解除入力モード、かつ、無操作状態で一定時間経過した場合（ステップＳ１６：ＹＥＳ）は、端末装置１１００の動作状態を省電力モードへ遷移させる。すなわち、コントローラ１１２０は、タッチパッド１０の接触部１１の有効領域を省電力モード時の有効領域に更新し（ステップＳ１７）、ステップＳ１１に戻る。
【０１０４】
以上に示したように、端末装置１１００は動作する。
【０１０５】
＜実施の形態２の効果＞
端末装置１１００は、ロック解除用のジェスチャが入力された場合のみ、省電力モードから通常モードへ遷移する。これにより、ロック解除用のジェスチャを知らないものは、端末装置１１００を省電力モードから通常モードへ移行させることが困難となる。
【０１０６】
また、ロック解除用のジェスチャを入力するロック解除入力モードにおけるタッチパッド１０の接触部１１の有効領域は、省電力モードにおけるタッチパッド１０の接触部１１の有効領域よりも広い領域である。これにより、領域を広く使用するジェスチャをロック解除用のジェスチャとして設定することができる。
【０１０７】
（実施の形態３）
実施の形態３の端末装置１６００は、動作状態として、タッチパッド１０への給電を停止するタッチパッドオフモードをさらに有し、省電力モード（以下、ディスプレイオフモードと称する）時に無操作状態が一定時間継続すると、タッチパッドオフモードへ移行する。
【０１０８】
なお、タッチパッドオフモードは、タッチパッド１０およびディスプレイ２０の両方への給電を停止している状態であり、ディスプレイオフモードは、タッチパッドへの給電は継続しているが、ディスプレイへの給電は停止している状態である。
【０１０９】
これにより、端末装置１６００の所有者が端末装置１１００の操作を長時間行わないときに、端末装置１６００の消費する電力を低減することが可能である。
【０１１０】
以下、実施の形態３の端末装置１６００について、図面を参照しつつ詳細に説明する。実施の形態１の端末装置１と同様の構成は、同様の符号を付し説明を省力する。
【０１１１】
＜端末装置１６００の構成＞
図１６は、実施の形態３に係る端末装置１６００の機能構成を示すブロック図である。図１６に示すように、端末装置１６００は、端末装置１のコントローラ４０の代わりにコントローラ１６１０を備え、さらに、入力部１６２０を備える。
【０１１２】
コントローラ１６１０は、コントローラ４０の有する機能に加えて、端末装置１６００の動作状態を、ディスプレイオフモードからタッチパッドオフモードを移行させる機能、および、タッチパッドオフモードからディスプレイオフモードへさせる機能を有する。
【０１１３】
入力部１６２０は、ハードウェアボタンであり、操作者からの操作をコントローラ１６１０に伝達する。
【０１１４】
＜端末装置１６００の外観＞
次に、端末装置１６００の外観について図１７を用いて説明する。図１７（ａ）は、端末装置１６００を正面から見た図であり、図１７（ｂ）は、端末装置１６００を側面から見た図である。図１７に示すように、端末装置１６００は、筐体１６３０の側面に入力部１６２０を備える。
【０１１５】
＜端末装置１６００の動作＞
図１８は、端末装置１６００の動作のフローチャートである。
【０１１６】
図１８に示すように、コントローラ１６１０は、ディスプレイオフモードの場合にタッチパッド１０から割り込み信号を受信して、通常モードへ移行する処理（ステップＳ８、ステップＳ９、ステップＳ１０）は、実施の形態１と同様である。
【０１１７】
コントローラ１６１０は、ディスプレイオフモードにおいてタッチパッド１０から割り込み信号を受信しなかったとき（ステップＳ８：ＮＯ）、端末装置１６００の動作状態がディスプレイオフモードで無操作状態が一定時間（例えば、３００秒）経過したか否かを判定する（ステップＳ１８）。具体的には、コントローラ１１２０は、タッチパッド１０から最後に割り込み信号を受信してからの時間を、計時部５０からのクロック信号に基づいて計測する。
【０１１８】
コントローラ１６１０は、タッチパッド１０から最後に割り込み信号を受信してから一定時間が経過していない場合（ステップＳ１８：Ｎｏ）、ステップＳ８へ戻る。
【０１１９】
コントローラ１６１０は、タッチパッド１０から最後に割り込み信号を受信してから一定時間が経過した場合（ステップＳ１８：ＹＥＳ）、端末装置１６００の動作状態をタッチパッドオフモードに遷移させる。すなわち、コントローラ１６１０は、タッチパッド１０への給電を停止させる（ステップＳ１９）。
【０１２０】
コントローラ１６１０は、タッチパッドオフモードに移行した後、入力部１６２０から入力があるまで待機（ステップＳ２０）する。
【０１２１】
コントローラ１６１０は、タッチパッドオフモードにおいて、入力部１６２０から入力があった場合（ステップＳ２０：ＹＥＳ）、端末装置１６００の動作状態をディスプレイオフモードに遷移させる。すなわち、コントローラ１６１０は、タッチパッドへの給電を開始し（ステップＳ２１）、ステップＳ８へ戻って処理を続行する。
【０１２２】
以上に示したように、端末装置１６００は動作する。
【０１２３】
＜実施の形態３の効果＞
端末装置１６００は、ディスプレイオフモード時に無操作状態が一定時間継続すると、タッチパッドオフモードへ移行する。これにより、端末装置１６００の所有者が端末装置１６００を長時間操作しないときに端末装置１６００が消費する電力を低減することが可能である。
【０１２４】
（補足）
以上、本発明に係る端末装置を実施の形態１〜３に基づいて説明したが、例示した端末装置を以下に示すように変形することも可能であり、本発明は上述の実施の形態に限られるものではない。
【０１２５】
（１）実施の形態において、端末装置の例として、スマートフォンを説明したが、端末装置はスマートフォンに限定されない。例えば、本発明に係る端末装置は、モバイルフォン、携帯型パソコン、デジタルカメラ、メディアプレイヤ、デジタルフォトフレーム、電子書籍リーダ、ナビゲータ、又はゲーム機等の電子機器であってもよい。
【０１２６】
（２）実施の形態において、省電力モードは、ディスプレイの給電を停止する動作状態としたが、これに限られない。省電力モードは、端末装置の消費する電力を低減する動作状態であればよく、例えば、ディスプレイの輝度を下げる動作状態や、コントローラの動作周波数を落とす動作状態であってもよい。
【０１２７】
（３）実施の形態において、タッチパッドは、静電容量方式のタッチパッドであるとしたが、これに限られない。タッチパッドは、有効領域以外の領域に対する接触はハードウェアとして検出せず、コントローラの制御によってその有効領域を変更できる仕組みを備えていればよい。タッチパッドは、例えば、マトリクススイッチであってもよいし、抵抗膜方式や電磁誘導方式のタッチパッドであってもよい。
【０１２８】
（４）実施の形態において、有効領域は、有効領域選択画面２１Ｃに表示されている複数の領域６２から１つの領域を選んで設定するものとしたが、表示されている複数の領域６２のうち、２以上の領域６２を選んで設定しても良い。例えば、複数の領域６２のうち２以上の領域６２が連続して表示されている場合、コントローラ４０は、表示されている複数の領域６２のうち、連続する２以上の領域６２に対する接触を検出すると、より広い有効領域を設定することができる。これらの連続する２以上の領域は、例えば、全体で矩形を形成する。この場合、例えば、コントローラ４０は、有効領域選択画面２１Ｃに設定ボタンを表示させ、複数の領域６２に対する接触を検出した後で設定ボタンに対する接触を検出すると、接触を検出した複数の領域６２を省電力モード時の有効モードに設定するとよい。
【０１２９】
（５）実施の形態において、タッチパッド１０の省電力モードにおける有効領域は、対角線の長さが０．５インチ以上１インチ以下の矩形状の領域であるとしたが、本発明の端末装置は、これに限られるものではない。すなわち、タッチパッド１０の省電力モードにおける有効領域は、通常モードにおける有効領域の部分領域であれば、対角線の長さが０．５インチ未満でも１インチより大きくても良い。また、タッチパッド１０の省電力モードにおける有効領域（Ｘ座標、Ｙ座標、幅、高さ）は、操作者がその数値を任意に設定可能であってもよい。
【０１３０】
なお、省電力モード時における有効領域の大きさが小さいほど、操作者の意図しない接触を検出する確率を減少させることが可能である。しかしながら、省電力モード時における有効領域の大きさが小さいほど、操作者は有効領域に接触することが困難になる。
【０１３１】
なお、省電力モード時のタッチパッド１０の有効領域は、操作者の親指程度の大きさに設定すると使い勝手がよいことが実験結果から得られている。
【０１３２】
（６）実施の形態において、ロック解除入力モードにおけるタッチパッド１０の接触部１１の有効領域は、省電力モードにおけるタッチパッド１０の接触部１１の有効領域よりも広い領域としたが、省電力モードにおけるタッチパッド１０の接触部１１の有効領域よりも狭い領域であってもよいし、２つのモードにおいて、有効領域の面積が同じであってもよい。さらに、ロック解除入力モードにおけるタッチパッド１０の接触部１１の有効領域と、省電力モードにおけるタッチパッド１０の接触部１１の有効領域は、少なくとも一部の領域で重なっていてもよく、全く異なる位置に設けられてもよい。
【０１３３】
（７）実施の形態において、ロック解除用のジェスチャは、上方向のスライドであるとしたが、これに限られるものではない。ロック解除用のジェスチャは、操作者による入力と、操作者の意図によらず他の物がタッチパッドの有効領域に接触してしまったことによってなされた入力とを区別することができればよい。
【０１３４】
ロック解除用のジェスチャは、例えば、タッチパッドの有効領域に対するダブルタップ、ロングタップなどであってもよい。
【０１３５】
また、シングルタップ、ダブルタップ、ロングタップ、各方向へのスライドなどを組み合わせた複雑なジェスチャであってもよい。複雑なジェスチャにすると、そのジェスチャを知らないものが端末装置を省電力モードから通常モードへ移行させることを困難にできる。すなわち、端末装置のセキュリティを向上させることができる。
【０１３６】
（８）実施の形態において、通常モードから省電力モードへ移行する方法は、通常モードにおいて無操作状態が一定時間継続することとしたが、これには限られない。例えば、実施の形態３のように端末装置がタッチパッド１０とは異なる入力部１６２０を備える場合には、通常モード時に入力部１６２０への入力を検出した場合に、省電力モードへ移行してもよい。
【０１３７】
（９）実施の形態３において、タッチセンサオフモード時、コントローラ１６１０は、入力部１６２０からの割込み信号を受信すると、端末装置１６００の動作状態をディスプレイオフモードに遷移させるとしたが、タッチセンサオフモードから通常モードに遷移させてもよい。
【０１３８】
（１０）実施の形態２では、ロック解除入力モードではディスプレイに給電しないとしたが、ロック解除入力モードにおいて、ディスプレイに給電して、ロック解除用の入力を促すロック解除画面をディスプレイに表示してもよい。
【０１３９】
例えば、予め端末装置にパスワードを設定し、ロック解除画面ではパスワードの入力を促すソフトウェアキーボードを表示し、ソフトウェアキーボードに対する接触操作により、正しくパスワードを入力した場合に通常モードへ遷移しても良い。
【０１４０】
（１１）ユーザは、省電力モードからの復帰方法を予め設定可能としてもよい。例えば、実施の形態２の端末装置に、実施の形態１における省電力モードからの復帰処理を適用し、図１０に示した復帰処理と図１８に示した復帰処理のいずれで省電力モードから復帰するかを予め設定可能としてもよい。
【０１４１】
（１２）各実施の形態で示した端末装置に、上述した変形事項を組み合わせて適用してもよい。
【０１４２】
（１３）以下、更に本発明の一実施形態に係る端末装置の構成およびその変形例と各効果について説明する。
【０１４３】
（Ａ）本発明の一実施形態に係る端末装置は、タッチパッドと制御部とを備え、動作状態として第１の状態および前記第１の状態よりも電力の消費が小さい第２の状態を有する端末装置であって、前記タッチパッドは、前記動作状態が前記第１の状態のときは前記タッチパッドの検出領域内の第１の領域に対する接触を受け付け、前記動作状態が前記第２の状態のときは前記第１の領域の部分領域である第２の領域に対する接触だけを受け付け、前記接触を受け付けると前記制御部に通知し、前記制御部は、前記動作状態が前記第２の状態のとき、前記タッチパッドからの通知に基づいて前記動作状態を前記第１の状態に向けて遷移させることを特徴とする。
【０１４４】
この構成により、端末装置は、タッチパッドへの入力により第２の状態（省電力モード）から第１の状態（通常モード）へ遷移する。
【０１４５】
さらに、第２の領域がタッチパッドの検出領域の部分領域であるので、端末装置の検出領域に対して操作者の意図しない接触があったとしても、その接触が第２の領域に対する接触でなければ接触自体を検出しない。その結果、タッチパッドが使用者の意図しない接触を検出する確率を低減することが可能である。
【０１４６】
（Ｂ）前記端末装置は、さらに、前記検出領域上のジェスチャを示すジェスチャ情報を保持するジェスチャ記憶部を備え、前記タッチパッドは、受け付けた前記接触の位置を検出し、前記制御部は、前記動作状態が前記第２の状態のとき、前記タッチパッドによって検出された位置と前記ジェスチャ記憶部の保持するジェスチャ情報とを照合することにより前記動作状態を前記第１の状態に遷移させるべきか否かを判断し、判断結果に応じて前記動作状態を前記第１の状態に遷移させてもよい。
【０１４７】
この構成により、端末装置は、所定のジェスチャが入力された場合のみ、第２の状態（省電力モード）から第１の状態（通常モード）へ遷移する。従って、所定のジェスチャを知らないものは、端末装置を省電力モードから通常モードへ移行させることが困難となる。
【０１４８】
（Ｃ）前記端末装置において、前記動作状態は、さらに、前記第２の状態よりも電力の消費が大きい第３の状態を含み、前記タッチパッドは、前記動作状態が前記第３の状態のときは前記検出領域内の第３の領域に対する接触だけを受け付け、前記タッチパッドは、受け付けた前記接触の位置を検出し、前記端末装置は、さらに、前記検出領域上のジェスチャを示すジェスチャ情報を保持するジェスチャ記憶部を備え、前記制御部は、前記動作状態を前記第２の状態から前記第３の状態を経由して前記第１の状態に遷移させるものであって、前記動作状態が前記第２の状態の場合において前記タッチパッドからの通知を受信したとき、前記動作状態を前記第３の状態に遷移させ、前記動作状態が前記第３の状態のとき、前記タッチパッドによって検出された位置と前記ジェスチャ記憶部の保持するジェスチャ情報とを照合することにより前記動作状態を前記第１の状態に遷移させるべきか否かを判断し、判断結果に応じて前記動作状態を前記第１の状態に遷移させてもよい。
【０１４９】
この構成では、第１の状態（通常モード）へ移行するためのロック解除用のジェスチャとして、第２の領域とは異なる第３の領域を使用するジェスチャを設定することが可能になる。
【０１５０】
（Ｄ）前記端末装置において、前記制御部は、前記動作状態が前記第１の状態の場合において前記タッチパッドからの通知を一定時間受信しなかったとき、前記動作状態を前記第２の状態に遷移させてもよい。
【０１５１】
この構成により、操作者が端末装置を長時間操作しないときに、端末装置が消費する電力を低減することができる。
【０１５２】
（Ｅ）前記端末装置において、前記端末装置は、さらに、前記タッチパッドとは異なる入力部を備え、前記動作状態は、さらに、前記タッチパッドへの給電を停止する第４の状態を含み、前記制御部は、前記動作状態が第２の状態の場合において前記タッチパッドからの通知を一定時間受信しなかったとき、前記動作状態を前記第２の状態から前記第４の状態に遷移させ、前記動作状態が前記第４の状態の場合において前記入力部で入力を受け付けたとき、前記動作状態を前記第２の状態に遷移させてもよい。
【０１５３】
この構成により、操作者が端末装置を長時間操作しないときに、端末装置が消費する電力を低減することができる。
【０１５４】
（Ｆ）前記端末装置において、さらに、表示部を備え、前記第１の状態は、前記表示部に給電を行う動作状態であり、前記第２の状態は、前記表示部に給電を行わない動作状態であるとしてもよい。
【０１５５】
この構成により、端末装置が省電力モード（第２の状態）で動作しているときに消費する電力を低減することが可能である。
【０１５６】
さらに、この構成では、端末装置が省電力モードで動作している場合に、タッチパッドの有効領域（第２の領域）と無効領域（第２の領域以外の領域）とを識別することが困難である。従って、有効領域の位置を知らないもの（例えば、端末装置の所有者以外の者）が端末装置を省電力モードから通常モード（第１の状態）へ移行できないようにすることができる。すなわち、端末装置の所有者以外の者が端末を操作できないようにすることが可能である。
【０１５７】
（Ｇ）前記端末装置において、前記第２の領域は、前記第１の領域の部分領域のうち任意の領域を設定可能であるとしてもよい。
【０１５８】
この構成により、操作者は、第２の状態のときのタッチパッドの有効領域（第２の領域）を、タッチパッドの検出領域の中の操作者の操作しやすい位置に設定することが可能である。
【０１５９】
（Ｈ）本発明の一実施形態の端末装置の制御方法は、タッチパッドと制御部とを備え、動作状態として第１の状態および前記第１の状態よりも電力の消費が低い第２の状態を有する端末装置を制御する制御方法であって、前記タッチパッドは、前記動作状態が前記第１の状態のとき、前記タッチパッドの検出領域内の第１の領域に対する接触を受け付け、前記制御方法は、前記タッチパッドにより実行される、前記動作状態が前記第２の状態のとき、前記第１の領域の部分領域である第２の領域に対する接触だけを受け付ける受付ステップと、前記タッチパッドにより実行される、前記受付ステップにおいて受け付けられた接触を前記制御部に通知する通知ステップと、前記制御部により実行される、前記動作状態が前記第２の状態のとき、前記タッチパッドからの通知に基づいて前記動作状態を前記第１の状態に向けて遷移させる状態遷移ステップとを含むことを特徴とする。
【０１６０】
これにより、端末装置は、タッチパッドへの入力により第２の状態（省電力モード）から第１の状態（通常モード）へ遷移する。
【０１６１】
さらに、第２の領域がタッチパッドの検出領域の部分領域であるので、端末装置の検出領域に対して操作者の意図しない接触があったとしても、その接触が第２の領域に対する接触でなければ接触自体を検出しない。その結果、タッチパッドが使用者の意図しない接触を検出する確率を低減することが可能である。
【産業上の利用可能性】
【０１６２】
本発明は、スマートフォン、モバイルフォン、携帯型パソコン、デジタルカメラ、メディアプレイヤ、デジタルフォトフレーム、電子書籍リーダ、ナビゲータ、又はゲーム機等の電子機器に適用することができる。
【符号の説明】
【０１６３】
１  端末装置
１０  タッチパッド
１１  接触部
１１０  駆動電極
１１１  検出電極
１２  検出制御部
１３  レジスタ
１４  有効領域情報
１５  接触位置情報
１６  通信部
２０  ディスプレイ
３０  メモリ
３１  設定領域情報
３２  設定アプリ
４０  コントローラ
５０  計時部
１００  筐体
１１００  端末装置
１１１０  メモリ
１１１１  設定領域情報
１１１２  接触イベント情報
１１１３  ジェスチャ情報
１１２０  コントローラ
１６００  端末装置
１６１０  コントローラ
１６２０  入力部
１６３０  筐体
【図１】
2015026321.tif 000003
【図２】
2015026321.tif 000004
【図３】
2015026321.tif 000005
【図４】
2015026321.tif 000006
【図５】
2015026321.tif 000007
【図６】
2015026321.tif 000008
【図７】
2015026321.tif 000009
【図８】
2015026321.tif 000010
【図９】
2015026321.tif 000011
【図１０】
2015026321.tif 000012
【図１１】
2015026321.tif 000013
【図１２】
2015026321.tif 000014
【図１３】
2015026321.tif 000015
【図１４】
2015026321.tif 000016
【図１５】
2015026321.tif 000017
【図１６】
2015026321.tif 000018
【図１７】
2015026321.tif 000019
【図１８】
2015026321.tif 000020